(57)【要約】【課題】装置のコンパクト性を犠牲にすることなく、コンテインメントの要不要に応じて、装置仕様を適宜変更し得る多機能型の造粒コーティング装置を提供する。【解決手段】多機能造粒コーティング装置１は、架台２と、架台２上に設置され用途に応じてその構成を変更可能な処理装置ユニット３とを有する。架台２上には、Ｌ字形に形成され、処理装置ユニット３の背面側と側面側を取り囲むように壁状筐体ユニット４が載置される。架台２上の壁状筐体ユニット４に取り囲まれた部位には、処理装置ユニット３が設置される処理装置配置部７が形成される。処理装置配置部７には、処理装置ユニット３を気密状態にて収容可能なアイソレータユニット４０が着脱可能に設けられる。アイソレータユニット４０は、処理装置配置部７にて壁状筐体ユニット４のない開放された三面を覆うように配置される。【選択図】図４
0003183471.tif 000002
【実用新案登録請求の範囲】
【請求項１】
架台と、前記架台上に設置され用途に応じてその構成を変更可能な処理装置ユニットと、を有する造粒コーティング装置であって、
前記架台上に、前記処理装置ユニットの平面上の二方向を取り囲むように載置された壁状筐体ユニットと、
前記架台上の前記壁状筐体ユニットに取り囲まれた部位に形成され、前記処理装置ユニットが設置される処理装置配置部と、
前記処理装置配置部に着脱可能に設けられ、前記処理装置ユニットを気密状態にて収容可能なアイソレータユニットと、を有することを特徴とする造粒コーティング装置。
【請求項２】
請求項１記載の造粒コーティング装置において、
前記壁状筐体ユニットは、前記処理装置ユニットの背面側と一方の側面側を取り囲むようにＬ字形に形成されてなることを特徴とする造粒コーティング装置。
【請求項３】
請求項１又は２記載の造粒コーティング装置において、
前記アイソレータユニットは、前記処理装置配置部にて前記壁状筐体ユニットのない開放された三面を覆うように配置されることを特徴とする造粒コーティング装置。
【請求項４】
請求項１〜３の何れか１項に記載の造粒コーティング装置において、
前記アイソレータユニットは、前面側に、作業者の手が挿入可能なグローブが取り付けられたハンドリング部を有することを特徴とする造粒コーティング装置。
【請求項５】
請求項１〜４の何れか１項に記載の造粒コーティング装置において、
前記アイソレータユニットは、フレームと、前記フレームに取り付けられたシート部材とを有し、前記フレーム内に、前記シート部材にて囲まれた第１チャンバが形成されてなることを特徴とする造粒コーティング装置。
【請求項６】
請求項５記載の造粒コーティング装置において、
前記アイソレータユニットは、前記第１チャンバが気密状態となるように、前記架台上に固定され、
前記処理装置ユニットは、前記第１チャンバ内に収容されることを特徴とする造粒コーティング装置。
【請求項７】
請求項５又は６記載の造粒コーティング装置において、
前記アイソレータユニットは、前記第１チャンバに隣接して形成された第２チャンバを有し、
前記第２チャンバは、前記第１チャンバとの間に設けられ気密状態にて閉鎖可能な内側開口部と、装置外と連通し気密状態にて閉鎖可能な外側開口部と、を有することを特徴とする造粒コーティング装置。
【請求項８】
請求項７記載の造粒コーティング装置において、
前記第２チャンバは、前面側に、作業者の手が挿入可能なグローブが取り付けられたハンドリング部を有することを特徴とする造粒コーティング装置。
【請求項９】
請求項１〜８の何れか１項に記載の造粒コーティング装置において、
前記壁状筐体ユニットは、前記処理装置ユニットに供給される気体を濾過する第１フィルタ部材と、前記処理装置ユニットから排出される気体を濾過する第２フィルタ部材と、を有し、
前記第１及び第２フィルタ部材は、前記壁状筐体ユニットの前記処理装置配置部側の面から交換可能であることを特徴とする造粒コーティング装置。
【請求項１０】
請求項４〜９の記載の造粒コーティング装置において、前記フレームは、前記処理装置配置部の前面側と上面側及び側面側を形成する三面枠構造であり、前記シート部材は、前記フレームの前記三面に気密状態で取り付けられることを特徴とする造粒コーティング装置。
【請求項１１】
請求項４〜９の記載の造粒コーティング装置において、前記フレームは、直方体状の六面構造であり、前記シート部材は、前記フレームに気密状態で取り付けられることを特徴とする造粒コーティング装置。
【請求項１２】
請求項１〜１１の何れか１項に記載の造粒コーティング装置において、
前記壁状筐体ユニットは、前記処理装置ユニットよりも高さが高いことを特徴とする造粒コーティング装置。
【考案の詳細な説明】
【技術分野】
【０００１】
本考案は、流動層装置や遠心転動造粒コーティング装置等の各種ユニットを適宜交換使用可能な多機能型の造粒コーティング装置に関し、特に、容易にコンテインメント対応可能な実験用の小型多機能造粒コーティング装置に関する。
【背景技術】
【０００２】
従来より、粉粒体の造粒やコーティング等の処理を行う造粒コーティング装置（粉粒体処理装置）においては、最適な処理方法や処理条件を求めるべく、小型の実験用装置が使用されている。このような実験用の小型造粒コーティング装置では、架台上に、流動層装置や遠心転動造粒コーティング装置、複合型流動層造粒コーティング装置、ワースター装置などの各種造粒・コーティングユニットが着脱可能となっている。使用者は、被処理物や製品等に応じてこれらのユニットを適宜使い分け、処理条件等を種々試行することにより、最適な処理方法・条件を開発、選定できるようになっている。
【先行技術文献】
【特許文献】
【０００３】
【特許文献１】特開2010-105064号公報
【考案の概要】
【考案が解決しようとする課題】
【０００４】
ところが、従来の実験用小型装置は、種々の条件を試行できるものの、通常仕様のものはコンテインメント対応が十分とは言えなかった。一方、コンテインメント対応を謳う装置も存在するが、装置自体が大がかりな構造となり、小型実験機とは言いがたいものであり、しかも、正面方向のみからしか操作を行えないなど、使い勝手の面でも問題があった。このため、小型でありながら、コンテインメントの要不要に応じて装置仕様を容易に変更し得る、使い勝手の良い実験用の小型装置が求められていた。
【０００５】
本考案の目的は、装置のコンパクト性を犠牲にすることなく、コンテインメントの要不要に応じて、装置仕様を適宜変更し得る多機能型の造粒コーティング装置を提供することにある。
【課題を解決するための手段】
【０００６】
本考案の造粒コーティング装置は、架台と、前記架台上に設置され用途に応じてその構成を変更可能な処理装置ユニットと、を有する造粒コーティング装置であって、前記架台上に、前記処理装置ユニットの平面上の二方向を取り囲むように載置された壁状筐体ユニットと、前記架台上の前記壁状筐体ユニットに取り囲まれた部位に形成され、前記処理装置ユニットが設置される処理装置配置部と、前記処理装置配置部に着脱可能に設けられ、前記処理装置ユニットを気密状態にて収容可能なアイソレータユニットと、を有することを特徴とする。
【０００７】
前記造粒コーティング装置において、前記壁状筐体ユニットを、前記処理装置ユニットの背面側と一方の側面側を取り囲むようにＬ字形に形成しても良い。また、前記処理装置配置部にて前記壁状筐体ユニットのない開放された三面を覆うように前記アイソレータユニットを配置しても良い。さらに、前記アイソレータユニットの前面側に、作業者の手が挿入可能なグローブが気密状態で取り付けられたハンドリング部を設けても良い。
【０００８】
前記アイソレータユニットを、フレームと、前記フレームに取り付けられたシート部材とを有する構成とし、前記フレーム内に、前記シート部材にて囲まれた第１チャンバを形成しても良い。この場合、前記第１チャンバが気密状態となるように前記アイソレータユニットを前記架台上に固定し、前記処理装置ユニットを前記第１チャンバ内に収容するようにしても良い。また、前記第１チャンバに隣接して第２チャンバを形成し、該第２チャンバに、前記第１チャンバとの間に設けられ気密状態にて閉鎖可能な内側開口部と、装置外と連通し気密状態にて閉鎖可能な外側開口部と、を設けても良く、前記第２チャンバの前面側に、作業者の手が挿入可能なグローブが気密状態で取り付けられたハンドリング部を設けても良い。
【０００９】
前記壁状筐体ユニットに、前記処理装置ユニットに供給される気体を濾過する第１フィルタ部材と、前記処理装置ユニットから排出される気体を濾過する第２フィルタ部材と、を配し、前記第１及び第２フィルタ部材を前記壁状筐体ユニットの前記処理装置配置部側の面から交換可能に設けても良い。なお、第１フィルタ部材は逆洗エアで逆流する粉体を濾過する作用も有する。
【００１０】
一方、前記フレームを前記処理装置配置部の前面側と上面側及び側面側を形成する三面枠構造とし、前記シート部材を前記フレームの前記三面に気密状態で取り付けるようにしても良い。また、前記フレームを直方体状の六面構造とし、前記シート部材を前記フレームに気密状態で取り付けるようにしても良い。さらに、前記壁状筐体ユニットの高さを前記処理装置ユニットよりも高くしても良い。
【考案の効果】
【００１１】
本考案の造粒コーティング装置によれば、架台上に設置され用途に応じてその構成を変更可能な処理装置ユニットを有する造粒コーティング装置にて、処理装置ユニットの平面上の二方向を取り囲むように載置された壁状筐体ユニットを架台上に配し、架台上の壁状筐体ユニットに取り囲まれた部位に、処理装置ユニットが設置される処理装置配置部を形成し、この処理装置配置部に、処理装置ユニットを気密状態にて収容可能なアイソレータユニットを着脱可能に設けたので、コンテインメント仕様・非仕様を容易に変更することができ、従来のコンテインメント仕様の装置に比して装置の汎用性が高く、また、リジッドタイプの従来機よりも装置価格を抑えることが可能となる。
【図面の簡単な説明】
【００１２】
【図１】本考案の一実施形態である多機能型造粒コーティング装置の正面図である。
【図２】図１の造粒コーティング装置の平面図である。
【図３】当該造粒コーティング装置の吸排気系の構成を示す説明図である。
【図４】当該造粒コーティング装置をコンテインメント仕様とした場合の構成を示す説明図である。
【図５】処理装置のバリエーションの例を示す説明図である。
【図６】アイソレータユニットの変形例を示す説明図である。
【考案を実施するための形態】
【００１３】
以下、本考案の実施形態を図面に基づいて詳細に説明する。図１は本考案の一実施形態である多機能型造粒コーティング装置１の正面図（非コンテインメント仕様時）、図２は同平面図である。本考案の造粒コーティング装置１は、医薬品や食品等の製造に際し、最適な処理方法や処理条件を開発、選定するために使用される小型の実験用装置である。図１,２では、架台２の上に、処理装置ユニット３として、流動層装置ユニット３０が設置された状態が示されている。処理装置ユニット３は、用途に応じてその構成を変更可能であり、流動層装置ユニット３０以外にも、遠心転動造粒コーティング装置や複合型流動層造粒コーティング装置、ワースター装置などに適宜変更することが可能となっている。
【００１４】
架台２上には、流動層装置ユニット３０の関連機器が収容される壁状筐体ユニット４が載置されている。図２に示すように、壁状筐体ユニット４は、上方から見るとＬ字形となっており、処理装置ユニット３の平面上の二方向（図１において、背面側と右側面側）を取り囲む形で配置される。壁状筐体ユニット４において、Ｌ字の一辺側は側壁部５、他辺側は背壁部６となっている。架台２上の側壁部５と背壁部６によって二方を囲まれた部位は、処理装置配置部７となっている。側壁部５と背壁部６は、処理装置ユニット３の高さよりも高い寸法に形成されている。
【００１５】
背壁部６内には、吸気用ＨＥＰＡフィルタ（第１フィルタ部材）８や排気用ＨＥＰＡフィルタ（第２フィルタ部材）９、送液ポンプ１１が配されている。吸気用ＨＥＰＡフィルタ８と排気用ＨＥＰＡフィルタ９は、図１において手前側に引き出せるようになっており、処理装置配置部７側から交換可能となっている。側壁部５には、当該造粒コーティング装置１の制御関係機器１２が収容されている。側壁部５の正面側には、制御用のコントロールパネル１３が設けられている。
【００１６】
架台２は、処理装置ユニット３と壁状筐体ユニット４を支持すると共に、その内部には、吸気プレフィルタ１４やロータモータ（図示せず）、ブロア１５、吸気ヒーター１６などが収容されている。また、架台２と壁状筐体ユニット４の内部には、吸排気系を形成する吸気ダクト１７や排気ダクト１８も収容されている。ロータモータやブロア１５、吸気ヒーター１６は、図示しない外部電源と接続され、制御関係機器（コントローラ）１２によって駆動制御される。
【００１７】
図３は、造粒コーティング装置１の吸排気系の構成を示す説明図である。図３に示すように、吸気プレフィルタ１４は、吸気ダクト１７を介して吸気ヒーター１６、吸気用ＨＥＰＡフィルタ８と接続されている。吸気ヒーター１６にて加温され、吸気用ＨＥＰＡフィルタ８にて清浄化された処理気体は、架台２上に設けられた給気部１９から、流動層装置ユニット３０内に供給される。また、流動層装置ユニット３０から排出された排気は、排気接続管２１を介して排気ダクト１８内に導入される。排気ダクト１８は、排気用ＨＥＰＡフィルタ９を介して、ブロア１５と接続されている。このブロア１５の吸引力により、流動層装置ユニット３０内に処理気体が供給され、排出された処理気体は、排気ダクト１８を通って図示しない排気口から装置外へと排気される。
【００１８】
前述のように、図１の装置では、処理装置配置部７に、処理装置ユニット３として流動層装置ユニット３０が取り付けられている。流動層装置ユニット３０は、上から順に、排気室３１、フィルタ室３２、スプレー室３３、原料容器コンテナ３４及び吸気ユニット３５とから構成されている。各ユニットは、支柱３９に対してヒンジ３６によって、水平方向にスイング移動可能に支持されている。
【００１９】
フィルタ室３２にはフィルタ３７が配置されており、フィルタ室３２を通った処理気体は、フィルタ３７によって被処理物が除去された状態で排気室３１に流入する。スプレー室３３には、被処理物に対しコーティング液やバインダ液を噴霧するスプレーノズル３８が配置されている。スプレーノズル３８には、送液ポンプ１１から、液チューブ２２を介してコーティング液等が供給される。スプレーノズル３８は、シリンダエアチューブ２３やスプレーエアチューブ２４にて供給される圧縮エアを用いて、被処理物に対しコーティング液等を適宜噴霧する。原料容器コンテナ３４には、造粒コーティング処理が行われる被処理物が収容される。吸気ユニット３５には、前述のように、吸気ダクト１７を介して処理気体が供給される。
【００２０】
一方、造粒コーティング装置１は、従来の小型実験機と異なり、通常の実験機の状態から装置を容易にコンテインメント仕様に変更することができる。図４は、造粒コーティング装置１をコンテインメント仕様とした場合の構成を示す説明図である。図４に示すように、コンテインメント仕様では、架台２上に、処理装置配置部７を覆う形でフレキシブルアイソレータユニット４０（以下、アイソレータユニット４０と略記する）が取り付けられる。当該造粒コーティング装置１では、壁状筐体ユニット４がＬ字形に形成されているため、アイソレータユニット４０は、架台２上の壁状筐体ユニット４が存在しない部分（Ｌ字の空隙部）を塞ぐように配置される。
【００２１】
アイソレータユニット４０は、アングル材やパイプ材等にて形成された金属や硬質プラスチック製のフレーム（枠体）４１に、合成樹脂製（例えば、ポリウレタン製）の透明シート４２を気密状態で固定した構成となっている。アイソレータユニット４０は、架台２に対し着脱可能となっており、図示しないパッキンを介して、架台２上に気密状態で固定される。アイソレータユニット４０は、前面部４１ａ、上面部４１ｂ及び側面部４１ｃからなる三面構造であり、各面に透明シート４２が気密状態で取り付けられている。これにより、架台２上のアイソレータユニット４０内には、透明シート４２にて囲まれたメインチャンバ（第１チャンバ）４３が形成される。
【００２２】
前面部４１ａには、開口孔４４を備えたハンドリング部４５が設けられている。開口孔４４には、作業者の手が挿入可能なグローブ４６が取り付けられている。アイソレータユニット４０では、このハンドリング部４５を介して、作業者がアイソレータユニット４０内の装置等を適宜操作できるようになっている。
【００２３】
また、アイソレータユニット４０の側面部４１ｃには、パスチャンバ（第２チャンバ）４７が設けられている。パスチャンバ４７の前面側にも、ハンドリング部４８が設けられている。パスチャンバ４７は、アイソレータユニット４０内に原材料等を出し入れする際に使用される。例えば、アイソレータユニット４０内に物を入れる場合、パスチャンバ４７のアイソレータユニット側の内側開口部４９を閉鎖し、外側開口部５１からパスチャンバ４７内に当該物を入れる。その後、外側開口部５１を閉鎖して外部との縁を切った上で、内側開口部４９を開放し、アイソレータユニット４０内に当該物を運び入れる。これにより、アイソレータユニット４０内外が連通することなく、物の出し入れが可能となり、コンテインメント性が確保される。さらに、パスチャンバ４７に代えて、バッグイン・バッグアウトポートを設けて物の出し入れをしても良い。
【００２４】
このように、本考案の造粒コーティング装置１では、架台２上にＬ字形の壁状筐体ユニット４を配し、壁状筐体ユニット４によって二方を取り囲まれた部位に、処理装置ユニット３が設置される処理装置配置部７を設ける。そして、処理装置配置部７の開放された三方（Ｌ字形ユニットのない二方と上方）を覆うように、アイソレータユニット４０が装着される。これにより、アイソレータユニット４０内のメインチャンバ４３にて、外気と遮断された状態で各種実験を行うことができ、薬理活性の高い原料の曝露から作業者、研究者を保護することが可能となる。また、造粒コーティング装置１においては、アイソレータユニット４０を装着後も、装置前面のみならず、装置側面からも適宜実験操作ができ、多彩な実験操作を容易に行うことが可能となる。
【００２５】
さらに、アイソレータユニット４０は容易に着脱可能であり、コンテインメント仕様・非仕様を容易に変更することができる。このため、従来のコンテインメント仕様の実験機に比して、容易にコンテインメント仕様を実現できると共に、コンテインメント仕様が不要の場合は、アイソレータユニット４０を外して通常の実験機として使用することもでき、装置の汎用性も高められる。加えて、リジットタイプの従来機よりも、安価にコンテインメント仕様を実現でき、装置価格の低減も図られる。
【００２６】
本考案は前記実施形態に限定されるものではなく、その要旨を逸脱しない範囲で種々変更可能であることは言うまでもない。
例えば、前述の実施の形態では、処理装置ユニット３として、流動層装置ユニット３０を設置したものを示したが、それ以外にも、例えば、遠心転動造粒コーティング装置や複合型流動層造粒コーティング装置、ワースター装置などの処理装置ユニットも取り付け可能である。図５は、これらのバリエーションの例を示す説明図であり、（ａ）は遠心転動造粒コーティング装置６１、（ｂ）はワースター装置６２の場合を示している。例えば、（ａ）の遠心転動造粒コーティング装置６１では、前述の吸気ユニット３５を、ロータディスクを備えたロータディスクユニット６３に変更することにより、被処理物の遠心転動処理可能な装置に変更できる。
【００２７】
また、前述のアイソレータユニット４０は、前面部４１ａ、上面部４１ｂ、側面部４１ｃの三面からなる構成となっているが、図６に示すように、直方体状のフレーム７１を用いた構造のアイソレータユニット７２を用いても良い。アイソレータユニット７２は、壁状筐体ユニット４よりも高く形成されており、透明シート４２からなる直方体状のアイソレータバッグ７３を使用している。アイソレータバッグ７３は、ボタン留めや、結束バンドなどによってフレーム７１に固定されている。アイソレータバッグ７３の前面部には、開閉自在に設けられた気密ファスナ７４が取り付けられている。気密ファスナ７４はウエットダウン後に開放し、そこから処理装置ユニット３を取り出すことができる。
【符号の説明】
【００２８】
１    造粒コーティング装置
２    架台
３    処理装置ユニット
４    壁状筐体ユニット
５    側壁部
６    背壁部
７    処理装置配置部
８    吸気用ＨＥＰＡフィルタ（第１フィルタ部材）
９    排気用ＨＥＰＡフィルタ（第２フィルタ部材）
１１    送液ポンプ
１２    制御関係機器
１３    コントロールパネル
１４    吸気プレフィルタ
１５    ブロア
１６    吸気ヒーター
１７    吸気ダクト
１８    排気ダクト
１９    給気部
２１    排気接続管
２２    液チューブ
２３    シリンダエアチューブ
２４    スプレーエアチューブ
３０    流動層装置ユニット
３１    排気室
３２    フィルタ室
３３    スプレー室
３４    原料容器コンテナ
３５    吸気ユニット
３６    ヒンジ
３７    フィルタ
３８    スプレーノズル
３９    支柱
４０    フレキシブルアイソレータユニット
４１    フレーム
４１ａ  前面部
４１ｂ  上面部
４１ｃ  側面部
４２    透明シート
４３    メインチャンバ（第１チャンバ）
４４    開口孔
４５    ハンドリング部
４６    グローブ
４７    パスチャンバ（第２チャンバ）
４８    ハンドリング部
４９    内側開口部
５１    外側開口部
６１    遠心転動造粒コーティング装置
６２    ワースター装置
６３    ロータディスクユニット
７１    フレーム
７２    アイソレータユニット
７３    アイソレータバッグ
７４    気密ファスナ
【図１】
0003183471.tif 000003
【図２】
0003183471.tif 000004
【図３】
0003183471.tif 000005
【図４】
0003183471.tif 000006
【図５】
0003183471.tif 000007
【図６】
0003183471.tif 000008